(57)【要約】【目的】  金属製の板材表面にキャラクター図柄等を施してその外形に沿って抜き出したダイカットによるキャラクターフィギュアを確実かつ所望の形態で保持しながら展示することが可能な新規な保持具を提案する。【構成】  磁力に反応する鉄系素材による所定厚さの板材の少なくとも片面にキャラクター図柄を施して該キャラクター形状に沿って抜き出したキャラクターフィギュア板材２を展示するための保持具１であって、少なくとも所定厚さのキャラクターフィギュア板材２を挟み込み保持する挟持部４と鉄系素材によるキャラクターフィギュア板材２の端部を磁力により固定するように内蔵されたマグネット５とを有する。【選択図】図１
2008086738.tif 000002
【特許請求の範囲】
【請求項１】
磁力に反応する鉄系素材による所定厚さの板材の少なくとも片面にキャラクター図柄を施して該キャラクター形状に沿って抜き出したキャラクターフィギュア板材を展示するための保持具であって、少なくとも所定厚さのキャラクターフィギュア板材を挟み込み保持する挟持部と鉄系素材によるキャラクターフィギュア板材の端部を磁力により固定するように内蔵されたマグネットとを有することを特徴とする鉄系素材によるキャラクターフィギュア板材の展示用保持具。
【請求項２】
少なくとも挟持部を透明なプラスチック素材などにより形成することで、挟持部により保持された状態のキャラクター図柄であっても外部からの観察が可能であるようにされたことを特徴とする請求項１に記載の鉄系素材によるキャラクターフィギュア板材の展示用保持具。
【請求項３】
内蔵したマグネットの磁力によって挟持部以外の場所においても鉄系素材表面に固定するための平坦部を形成したことを特徴とする請求項１または請求項２に記載のキャラクターフィギュア板材の展示用保持具。
【請求項４】
キャラクターフィギュア板材を保持するための一対の開閉可動アームを更に備えており、しかも該アームが磁力に反応する鉄系素材によるもので、内蔵マグネットの磁力によって閉状態にされるものであることを特徴とする請求項１〜請求項３の何れか１つに記載のキャラクターフィギュア板材の展示用保持具。
【請求項５】
ディスプレイ用のスタンド構造とされていることを特徴とする請求項１〜請求項４の何れか１つに記載のキャラクターフィギュア板材の展示用保持具。
【請求項６】
携帯電話用のストラップまたはキーホルダーの形状とされていることを特徴とする請求項１〜請求項４の何れか１つに記載のキャラクターフィギュア板材の展示用保持具。
【請求項７】
ボールペンやシャープペンシルといった筆記用具の頂端部や軸部やクリップに取付ける構造とされていることを特徴とする請求項１〜請求項４の何れか１つに記載のキャラクターフィギュア板材の展示用保持具。
【請求項８】
磁力に反応する鉄系金属製の物品の表面に内蔵マグネットを利用して紙片等を挟み込み保持できることをも特徴とした請求項１〜請求項４の何れか１つに記載のキャラクターフィギュア板材の展示用保持具。
【発明の詳細な説明】
【技術分野】
【０００１】  本発明は、金属製の板材表面にキャラクター図柄等を施してその外形に沿って抜き出したダイカットによるキャラクターフィギュアを確実かつ所望の形態で保持しながら展示することが可能な新規な保持具を提案するものである。
【背景技術】
【０００２】  キャラクターフィギュア板材をマグネットを利用した接続構造によってストラップやキーホルダーのアクセサリーに応用することが出願人によって提案されている。
【特許文献１】  特願２００６−１４２０４６号
【発明の開示】
【発明が解決しようとする課題】
【０００３】  しかし、上記提案はマグネットを利用することについて述べるのみで、具体的にどのような構成によって的確な接続関係を実現するかについてはそれ程開示していない。【０００４】  すなわち、さまざまな物品に応用するには確実且つ好みに応じた自由度を持った接続状態が実現されるべきであるが、そのための具体的提案はなされていなかった。【０００５】  また、より多様な展開を図るために必要となる更なる改良についての提案もなされてはいない。
【課題を解決するための手段】
【０００６】  本発明は、上記したような課題を解決すべく検討を重ねた結果として得られたものであり、鉄系金属板材製のダイカットフィギュアをマグネットを利用して的確に保持せしめる新たな接続手段を提案するものであって、具体的には以下のごとくである。【０００７】  （１）  磁力に反応する鉄系素材による所定厚さの板材の少なくとも片面にキャラクター図柄を施して該キャラクター形状に沿って抜き出したキャラクターフィギュア板材を展示するための保持具であって、少なくとも所定厚さのキャラクターフィギュア板材を挟み込み保持する挟持部と鉄系素材によるキャラクターフィギュア板材の端部を磁力により固定するように内蔵されたマグネットとを有することを特徴とする鉄系素材によるキャラクターフィギュア板材の展示用保持具。【０００８】  （２）  少なくとも挟持部を透明なプラスチック素材などにより形成することで、挟持部により保持された状態のキャラクター図柄であっても外部からの観察が可能であるようにされたことを特徴とする前記（１）項に記載の鉄系素材によるキャラクターフィギュア板材の展示用保持具。【０００９】  （３）  内蔵したマグネットの磁力によって挟持部以外の場所においても鉄系素材表面に固定するための平坦部を形成したことを特徴とする前記（１）項または（２）項に記載のキャラクターフィギュア板材の展示用保持具。【００１０】  （４）  キャラクターフィギュア板材を保持するための一対の開閉可動アームを更に備えており、しかも該アームが磁力に反応する鉄系素材によるもので、内蔵マグネットの磁力によって閉状態にされるものであることを特徴とする前記（１）項〜（３）項の何れか１つに記載のキャラクターフィギュア板材の展示用保持具。【００１１】  （５）  ディスプレイ用のスタンド構造とされていることを特徴とする前記（１）項〜（４）項の何れか１つに記載のキャラクターフィギュア板材の展示用保持具。【００１２】  （６）  携帯電話用のストラップまたはキーホルダーの形状とされていることを特徴とする前記（１）項〜（４）項の何れか１つに記載のキャラクターフィギュア板材の展示用保持具。【００１３】  （７）  ボールペンやシャープペンシルといった筆記用具の頂端部や軸部やクリップに取付ける構造とされていることを特徴とする前記（１）項〜（４）項の何れか１つに記載のキャラクターフィギュア板材の展示用保持具。【００１４】  （８）  磁力に反応する鉄系金属製の物品の表面に内蔵マグネットを利用して紙片等を挟み込み保持できることをも特徴とした前記（１）項〜（４）項の何れか１つに記載のキャラクターフィギュア板材の展示用保持具。
【発明の効果】
【００１５】  磁力に反応する鉄系素材による所定厚さの板材の少なくとも片面にキャラクター図柄を施して該キャラクター形状に沿って抜き出したキャラクターフィギュア板材を展示するための保持具であって、少なくとも所定厚さのキャラクターフィギュア板材を挟み込み保持する挟持部と鉄系素材によるキャラクターフィギュア板材の端部を磁力により固定するように内蔵されたマグネットとを有することにより、キャラクターフィギュア板材を挟持部により安定的にホールドすると共にマグネットの磁力による自由度のある保持が実現される。【００１６】  少なくとも挟持部を透明なプラスチック素材などにより形成することで、挟持部により保持された状態のキャラクター図柄であっても外部からの観察が可能であるようにされたことにより、保持具によってキャラクター図柄が隠されてしまうといった不具合を考慮する必要がなくなり、自由自在な取付け関係を図ることができるようになる。【００１７】  内蔵したマグネットの磁力によって挟持部以外の場所においても鉄系素材表面に固定するための平坦部を形成したことにより、該平坦部においてキャラクターフィギュアを取付けることもできるし、他の鉄系金属素材表面に取付けることも可能になる。【００１８】  キャラクターフィギュア板材を保持するための一対の開閉可動アームを更に備えており、しかも該アームが磁力に反応する鉄系素材によるもので、内蔵マグネットの磁力によって閉状態にされるものであることにより、キャラクターフィギュア板材の保持を補助したり別個の保持を行わせることができるようになり、しかも内蔵マグネットの磁力によってアームの保持力を確実なものとすることが可能となっている。【００１９】  ディスプレイ用のスタンド構造とされていることで、コレクションの対象となるようなキャラクターフィギュアを好みに応じて展示可能な専用スタンドを提供することができるようになる。【００２０】  携帯電話用のストラップまたはキーホルダーの形状とされていることにより、このような物品のアクセサリーとしての機能を充実することが可能となる。【００２１】  ボールペンやシャープペンシルといった筆記用具の頂端部や軸部やクリップに取付ける構造とされていることで、新たな装飾性や趣味性の向上を図った筆記用具を提案することが可能となる。【００２２】  磁力に反応する鉄系金属製の物品の表面に内蔵マグネットを利用して紙片等を挟み込み保持できることにより、冷蔵庫やスチール製ロッカーなどの物品表面にメモ紙片などを随時止めておく目的に使用することも可能なものとなる。
【発明を実施するための最良の形態】
【００２３】  上記してきたような本発明の具体的な実施形態の幾つかを、添付図面等を利用しながら以下において説明する。
図１は、本発明の展示用保持具１の基本的形状の１例を、その構造を示す分解図として表現したものである。【００２４】  すなわち、本発明の展示用保持具１は鉄系素材（鉄板）によるダイカット製作された板状のキャラクターフィギュア２を適切に挟み込み保持して展示するために用いるものである。【００２５】  つまり、保持具１の本体３は２つのケース３ａ、３ｂとにより構成され、組合わせることでキャラクターフィギュア２を保持するに適した挟持部４が形成されると共にマグネット５をも内蔵されることにより鉄板製のキャラクターフィギュア２を磁力によっても吸着固定しようとするものである。
ここで用いるマグネット５は小型軽量且つ強力なものであることが望まれるが、その具体例は上記した特許文献１中においても開示されていて実用化されているものである。【００２６】  また、上記の挟持部４はキャラクターフィギュア２の一部を被包することになるので、そのような状態においてもキャラクター図柄等が観察できるように透明プラスチックなどを利用した透明部６として構成することが望ましい。
図１においては、本発明の展示用保持具１をそのまま携帯電話などに用いるストラップとすることを想定しているので、ストラップ紐７をも分解図中に示している。【００２７】  図２は、ストラップ８として利用できる本発明の展示用保持具１にキャラクターフィギュア２を保持して展示する状態の１例を斜視図として示したものである。この場合には、挟持部４はもちろん、本体３全体を透明素材によって形成しているので被包保持されたフィギュア頭部も外部から観察できる状態であり、併せて内蔵したマグネット５なども見ることができるようになっている。【００２８】  図３は、本発明の展示用保持具１の本体３に形成された平坦部９上にキャラクターフィギュア２を、内蔵マグネット５の磁力を利用して立たせた状態で取付ける場合の１例を示しているものである。本発明で使用するマグネット５は十分に強力なものであるので、プラスチックなどによる本体３を介した上でも鉄板製キャラクターフィギュア２を磁力によって吸着することが可能なのである。【００２９】  このようなキャラクターフィギュア２の本体３に対する磁力を使った取付け方のバリエーションは他にも色々と考えることができ、例えば、図４に示すように挟持部４を利用するにしても図１のような吊り下げ状態ではなく９０度の回転をさせたスタンド状態とすることなどが可能となっている。【００３０】  さらに、図５は本発明の展示用保持具１の挟持部４にキャラクターフィギュア２を保持しながら平坦部９を介して缶詰１０などの別の鉄系素材物品表面に取付けした状態を示したものである。平坦部９を介して取付するのは冷蔵庫表面やスチール製書庫の表面など鉄系素材による物品であれば何でも良いのはもちろんである。【００３１】  図６は、上記とは別の形態でキャラクターフィギュア２を挟持している状態を示したもので、これ以外にもマグネット５の磁力を利用した取付けスタイルは多様に考えることができるものである。【００３２】  図７は、上記してきたようなキャラクターフィギュア２を立て掛けて保持しディスプレイするに相応しい専用のスタンド台１１に本発明の保持具１を応用する場合の１例を示したものである。
挟持部４とマグネット５の磁力によって通常では保持できない姿勢であってもキャラクターフィギュア２を保持固定することができ、しかも挟持部４が透明素材製であることから図示のキャラクター脚部などの図柄なども阻害されること無く観察可能なものとなっている。【００３３】  図８は、上記してきたのとは異なる形態での本発明による展示用保持具１を、その構造を示す分解図として表現した説明図である。
すなわち、ここではキャラクターフィギュア２を保持するための開閉可能な一対のアーム部１２、１２が備付けられるようになっている。【００３４】  このアーム部１２は鉄系素材製であり、マグネット５の磁力により吸着されるものとなっている。したがって、開閉自在であるとしても通常は内蔵マグネット５の磁力によって閉状態となるようにされている。
したがって、アーム１２、１２の間に何かを挟み込ませると磁力によって閉じようとする力が働き続けて挟み込み保持状態が継続されるようになるのである。【００３５】  このようなアーム１２、１２を利用した挟み込み保持の場合には、キャラクターフィギュア２自体は鉄板製である必要はなく、例えばプラスチック板製の如き磁力に無反応な素材であってもマグネット５を活用した展示用保持が可能となるものである。【００３６】  図９は、このようなアーム１２を備えた本発明保持具１を用いたキャラクターフィギュア２の挟み込み保持状態の１例を示したものである。恰もキャッチャーゲームによる吊り下げ状態のようにも見え、使用する者に別種の面白さを感得させる構成となっている。【００３７】  図１０は、キャラクターフィギュア２の向きを９０度変えた状態でのアーム１２による挟み込み保持状態を示している。磁力によって閉状態への力が常に加わっていることから、挟み込み際の幅に変動があっても適宜な挟み込み保持が可能となっているものである。
また、挟持部４の形状も図示のように異なる向きでキャラクターフィギュア２を受け入れることができるように工夫されている。【００３８】  図１１は、このようにアーム１２を備えた本発明の保持具１の平坦部９にも前記と同様に鉄系金属板製のキャラクターフィギュア２を適宜なスタンド状態で内蔵マグネット５の磁力を利用した保持が可能であることを示している。【００３９】  図１２は、挟持部４による保持とアーム１２による保持を複合してキャラクターフィギュア２を固定した状態の１例を示している。２種類の保持手法が複合することでより確実な保持関係が実現するものである。
また、この保持具１は内蔵マグネット５の磁力を利用して冷蔵庫やスチール製ロッカーのような物品表面の鉄板１５などにメモ紙片などを止めておく目的においても使用することが可能なものとなっている。【００４０】  図１３は、シャープペンシルやボールペンといった筆記具１３の軸頂端部に本発明の展示用保持具１を備付けさせる場合の１例を示している。
キャラクターフィギュア２は好みの姿勢で保持させることができ、しかも簡単に着脱することもできるので、筆記操作等に支障を来たすことなく随時に趣味性を満足することができるようになる。【００４１】  図１４は、筆記具１３のクリップ１４に本発明の展示用保持具１を応用する場合について示している。マグネット５の磁力を利用した自由に着脱できるキャラクターフィギュア２の取付け関係であるからこそ、このような部位においても応用が可能となったものである。【００４２】  上記してきた以外にも、さらに多様な物品に対する本発明の応用が考えられ、用途の広がりも多様に理解することができるものである。
【産業上の利用可能性】
【００４３】  以上説明してきたような本発明の保持具は、独特な表現形式である板材を利用したキャラクターフィギュアを好みの姿勢で簡易に保持させることが可能であり、また、ストラップやキーホルダー、専用スタンド台や筆記用具といった多様な物品への応用も容易に行うことができるものである。【００４４】  したがって、関連する新規商品等を産み出し新たな需要を市場にもたらすものとして産業上の利用可能性において非常に優れた発明であると理解されるものである。
【図面の簡単な説明】
【００４５】
【図１】  本発明の展示用保持具１の基本的形状の１例を、その構造を示す分解図として表現したものである。
【図２】  ストラップとして利用できる本発明の展示用保持具にキャラクターフィギュアを保持して展示する状態の１例を斜視図として示したものである。
【図３】  本発明の展示用保持具の本体に形成された平坦部上にキャラクターフィギュアを、内蔵マグネットの磁力を利用して立たせた状態で取付ける場合の１例を示しているものである。
【図４】  キャラクターフィギュアの本体に対する磁力を使った取付け方のバリエーションの１例を示したものである。
【図５】  本発明の展示用保持具の挟持部にキャラクターフィギュアを保持しながら平坦部を介して缶詰などの別の鉄系素材物品表面に取付けした状態を示したものである。
【図６】  上記とは別の形態でキャラクターフィギュアを挟持している状態を示したものである。
【図７】  キャラクターフィギュアを立て掛けて保持しディスプレイするに相応しい専用のスタンド台に本発明の保持具１を応用する場合の１例を示したものである。
【図８】  上記してきたのとは異なる形態での本発明による展示用保持具を、その構造を示す分解図として表現した説明図である。
【図９】  アームを備えた本発明保持具を用いたキャラクターフィギュアの挟み込み保持状態の１例を示したものである。
【図１０】  キャラクターフィギュアの向きを９０度変えた状態でのアームによる挟み込み保持状態を示したものである。
【図１１】  このようにアーム１２を備えた本発明の保持具１の平坦部９にも前記と同様に鉄系金属板製のキャラクターフィギュア２を適宜なスタンド状態で内蔵マグネットの磁力を利用した保持が可能であることを示したものである。
【図１２】  挟持による保持とアームによる保持を複合してキャラクターフィギュアを固定した状態の１例を示しているものである。
【図１３】  筆記具の軸頂端部に本発明の展示用保持具を備付けさせる場合の１例を示しているものである。
【図１４】  筆記具のクリップに本発明の展示用保持具を応用する場合について示しているものである。
【符号の説明】
【００４６】  １  本発明の展示用保持具
２  ダイカットによるキャラクターフィギュア
３  本体
３ａ    ケース
３ｂ    ケース
４  挟持部
５  マグネット
６  透明部
７  ストラップ紐
８  ストラップ
９  平坦部
１０    缶詰
１１    専用スタンド台
１２    アーム
１３    筆記具
１４    クリップ
１５    物品表面の鉄板
【図１】
2008086738.tif 000003
【図２】
2008086738.tif 000004
【図３】
2008086738.tif 000005
【図４】
2008086738.tif 000006
【図５】
2008086738.tif 000007
【図６】
2008086738.tif 000008
【図７】
2008086738.tif 000009
【図８】
2008086738.tif 000010
【図９】
2008086738.tif 000011
【図１０】
2008086738.tif 000012
【図１１】
2008086738.tif 000013
【図１２】
2008086738.tif 000014
【図１３】
2008086738.tif 000015
【図１４】
2008086738.tif 000016